(57)【要約】【課題】電子機器が装着されていない状態では接触端子が露出しないホルダ及び接触端子保護構造を、電子機器を装着するための凹部の開口面積に関わらず適用可能な構成で提供する。【解決手段】装着された携帯通信機１に電力を供給するホルダ２であって、携帯通信機１が装着される際に携帯通信機１によって押下されるボタン２８と、コネクタ２７１を介して電源に接続されボタン２８が押下された状態の時のみ、ホルダ２のカバー２１から突出するターミナル２７２とを有し、電源からの電力をターミナル２７２を介して携帯通信機１に供給する。【選択図】        図４
2004165831.tif 000002
【特許請求の範囲】
【請求項１】
装着された電子機器に電力を供給するホルダであって、
前記電子機器が装着される際に該電子機器によって押下されるボタンと、
電源に接続され前記ボタンが押下された状態の時のみ、筐体から突出する電源端子とを有し、
前記電源からの電力を前記電源端子を介して前記電子機器に供給することを特徴とするホルダ。
【請求項２】
装着された電子機器に電力を供給するホルダであって、
前記電子機器が装着される際に該電子機器によって押下されるボタンと、
電源に接続された電源端子と、
筐体に形成された開口部と、
前記ボタンが押下されていない状態では前記開口部を塞ぐ保護部材と、
前記ボタンが押下された場合には、前記保護部材を移動させて前記開口部を開き、前記ボタンの押下状態が解除された際には、前記保護部材を移動させて前記開口部を塞ぐ開閉手段と、
前記開口部が開いた際に、前記電源端子を前記開口部から前記筐体の外へ突出させ、前記開口部が塞がれる際に、前記電源端子を前記筐体内に収納する出没手段とを有し、
前記電子機器が装着された際には、前記電源からの電力を前記電源端子を介して前記電子機器に供給することを特徴とするホルダ。
【請求項３】
前記開閉手段は、前記ボタンが押下された際に圧縮されるトーションバネの一端が前記筐体に固定され、他の一端に前記保護部材が設置されてなることを特徴とする請求項２記載のホルダ。
【請求項４】
前記保護部材は、渦巻き状に成型された前記トーションバネの端部であることを特徴とする請求項３記載のホルダ。
【請求項５】
前記出没手段は、
鋼線で形成された前記電源端子に巻線部が設けられ、
前記電源端子の略先端に形成された屈曲部の頂点が、前記巻線部の弾性力によって前記保護部材側に弾発付勢され、
前記電源端子が、前記筐体から突出する際には前記屈曲部のみが前記開口部を介して前記筐体の外へ突出し、先端は前記筐体内に留まって該筐体との間に前記保護部材を介在するように配置されて構成されたことを特徴とする請求項２から４のいずれか１項記載のホルダ。
【請求項６】
前記保護部材には、前記電源端子の前記屈曲部の頂点と相対する位置に、前記電源端子に付着した異物を除去する部材が配置されたことを特徴とする請求項５記載のホルダ。
【請求項７】
装着された電子機器に電力を供給するホルダであって、
前記電子機器が装着される際に該電子機器によって押下される少なくとも一つのボタンと、
電源に接続された少なくとも一つの電源端子と、
それぞれの前記電源端子に対応して筐体に形成された開口部を備え、
前記ボタンがいずれも押下されていない状態では全ての前記開口部を塞ぐ保護部材と、
前記ボタンのいずれかが押下された場合には、前記保護部材を移動させて全ての前記開口部を開き、全ての前記ボタンの押下状態が解除された際には、前記保護部材を移動させて全ての前記開口部を塞ぐ開閉手段と、
前記開口部が開いた際に、前記電源端子のそれぞれを、対応する前記開口部から前記筐体の外へ突出させ、前記開口部が塞がれる際に、前記電源端子のそれぞれを前記筐体内に収納する出没手段とを有し、
前記電子機器が装着された際には、前記電源からの電力を前記電源端子を介して前記電子機器に供給することを特徴とするホルダ。
【請求項８】
前記開閉手段は、前記ボタンのいずれかが押下されると圧縮される少なくとも一つのトーションバネの一端が前記筐体にそれぞれ固定され、他の一端に前記保護部材が設置されてなることを特徴とする請求項７記載のホルダ。
【請求項９】
前記出没手段は、
鋼線で形成されたそれぞれの前記電源端子に巻線部が設けられ、
前記電源端子の略先端に形成された屈曲部の頂点が、前記巻線部の弾性力によって前記保護部材側に弾発付勢され、
前記電源端子が、前記筐体から突出する際には前記屈曲部のみが前記開口部を介して前記筐体の外へ突出し、先端は前記筐体内に留まって該筐体との間に前記保護部材を介在するように配置されて構成されたことを特徴とする請求項７又は８記載のホルダ。
【請求項１０】
前記保護部材には、それぞれの前記電源端子の前記屈曲部の頂点と相対する位置に、前記電源端子に付着した異物を除去する部材が配置されたことを特徴とする請求項９記載のホルダ。
【請求項１１】
電子機器が装着されるホルダであって、
前記電子機器が装着される際に、該電子機器によって押下されるボタンと、
前記ボタンが押下された状態の時のみ、筐体から突出する接触端子とを有し、
装着された電子機器との間で、前記接触端子を介して電気信号を送受信することを特徴とするホルダ。
【請求項１２】
電子機器が装着されるホルダであって、
前記電子機器が装着される際に、該電子機器によって押下されるボタンと、
前記筐体に形成された開口部と、
前記ボタンが押下されていない状態では前記開口部を塞ぐ保護部材と、
前記ボタンが押下された場合には、前記保護部材を移動させて前記開口部を開き、前記ボタンの押下状態が解除された際には、前記保護部材を移動させて前記開口部を塞ぐ開閉手段と、
前記開口部が開いた際に、接触端子を前記開口部から前記筐体の外へ突出させ、前記開口部が塞がれる際に前記接触端子を前記筐体内に収納する出没手段とを有し、
装着された電子機器との間で、前記接触端子を介して電気信号を送受信することを特徴とするホルダ。
【請求項１３】
前記開閉手段は、前記ボタンが押下される際に圧縮されるトーションバネの一端が前記筐体に固定され、他の一端が前記保護部材に固定されてなることを特徴とする請求項１２記載のホルダ。
【請求項１４】
前記保護部材は、渦巻き状に成型された前記トーションバネの端部であることを特徴とする請求項１３記載のホルダ。
【請求項１５】
前記出没手段は、
鋼線で形成された前記接触端子に巻線部が設けられ、
前記接触端子の略先端に形成された屈曲部の頂点が、前記巻線部の弾性力によって前記保護部材側に弾発付勢され、
前記接触端子が、前記筐体から突出する際には前記屈曲部のみが前記開口部を介して前記筐体の外へ突出し、先端は前記筐体内に留まって該筐体との間に前記保護部材を介在するように配置されて構成されたことを特徴とする請求項１２から１４のいずれか１項記載のホルダ。
【請求項１６】
前記保護部材には、前記電源端子の前記屈曲部の頂点と相対する位置に、前記接触端子に付着した異物を除去する部材が配置されたことを特徴とする請求項１５記載のホルダ。
【請求項１７】
電子機器が装着されるホルダであって、
前記電子機器が装着される際に該電子機器によって押下される少なくとも一つのボタンと、
少なくとも一つの接触端子と、
それぞれの前記接触端子に対応して筐体に形成された開口部を備え、
前記ボタンがいずれも押下されていない状態では全ての前記開口部を塞ぐ保護部材と、
前記ボタンのいずれかが押下された場合には、前記保護部材を移動させて全ての前記開口部を開き、全ての前記ボタンの押下状態が解除された際には、前記保護部材を移動させて全ての前記開口部を塞ぐ開閉手段と、
前記開口部が開いた際に、前記接触端子のそれぞれを前記開口部から前記筐体の外へ突出させ、前記開口部が塞がれる際に、前記接触端子のそれぞれを前記筐体内に収納する出没手段とを有し、
装着された電子機器との間で、前記接触端子を介して電気信号を送受信することを特徴とするホルダ。
【請求項１８】
前記開閉手段は、前記ボタンのいずれかが押下されると圧縮される少なくとも一つのトーションバネの一端が前記筐体にそれぞれ固定され、他の一端に前記保護部材が設置されてなることを特徴とする請求項１７記載のホルダ。
【請求項１９】
前記出没手段は、
鋼線で形成されたそれぞれの前記接触端子に巻線部が設けられ、
前記それぞれの接触端子の略先端に形成された屈曲部の頂点が、前記巻線部の弾性力によって前記保護部材側に弾発付勢され、
前記接触端子が、前記筐体から突出する際には前記屈曲部のみが前記開口部を介して前記筐体の外へ突出し、先端は前記筐体内に留まって該筐体との間に前記保護部材が介在するように配置されて構成されたことを特徴とする請求項１７又は１８記載のホルダ。
【請求項２０】
前記保護部材には、それぞれの前記接触端子の前記屈曲部の頂点と相対する位置に、前記接触端子に付着した異物を除去する部材が配置されたことを特徴とする請求項１９記載のホルダ。
【請求項２１】
電子機器が装着されるホルダにおいて、前記電子機器を電気的に接続するための接触端子を保護する接触端子保護構造であって、
前記電子機器が装着される際に、該電子機器によって押下されるボタンを有し、前記ボタンが押下された状態の時のみ、前記接触端子を筐体から突出させることを特徴とする接触端子保護構造。
【請求項２２】
電子機器が装着されるホルダにおいて、前記電子機器を電気的に接続するため接触端子を保護する接触端子保護構造であって、
前記電子機器が装着される際に、該電子機器によって押下されるボタンと、
前記筐体に形成された開口部と、
前記ボタンが押下されていない状態では前記開口部を塞ぐ保護部材とを有し、
前記ボタンが押下された場合には、前記保護部材を移動させて前記開口部を開くとともに、前記接触端子を前記開口部から筐体の外へ突出させ、
前記ボタンの押下状態が解除された際には、前記接触端子を前記筐体内に収納するとともに、前記保護部材を移動させて前記開口部を塞ぐことを特徴とする接触端子保護構造。
【請求項２３】
前記ボタンが押下された際に圧縮されるトーションバネの一端が前記筐体に固定され、他の一端が前記保護部材に固定されたことにより、前記ボタンの出没に応じて前記保護部材を移動させて前記開口部を開閉することを特徴とする請求項２２記載の接触端子保護構造。
【請求項２４】
前記保護部材は、渦巻き状に成型された前記トーションバネの端部であることを特徴とする請求項２３記載の接触端子保護構造。
【請求項２５】
鋼線で形成された前記接触端子の略先端に形成された屈曲部の頂点が、該接触端子に形成された巻線部の弾性力によって前記保護部材側に弾発付勢され、
前記接触端子が、前記筐体から突出する際には前記屈曲部のみが前記開口部を介して前記筐体から突出し、先端は前記筐体内に留まって該筐体との間に前記保護部材を介在するように配置されることにより、前記開口部の開閉に応じて前記接触端子を前記開口部を介して前記筐体から出没させることを特徴とする請求項２２から２４のいずれか１項記載の接触端子保護構造。
【請求項２６】
前記保護部材には、前記電源端子の前記屈曲部の頂点と相対する位置に、前記電源端子に付着した異物を除去する部材が配置されたことを特徴とする請求項２５記載の接触端子保護構造。
【請求項２７】
電子機器が装着されるホルダにおいて、前記電子機器を電気的に接続するための接触端子を保護する接触端子保護構造であって、
前記電子機器が装着される際に該電子機器によって押下される少なくとも一つのボタンと、
少なくとも一つの接触端子と、
それぞれの前記接触端子に対応して筐体に形成された開口部を備え、
前記ボタンがいずれも押下されていない状態では全ての前記開口部を塞ぐ保護部材とを有し、
前記ボタンのいずれかが押下された場合には、前記保護部材を移動させて全ての前記開口部を開くとともに、前記接触端子のそれぞれを対応する開口部から前記筐体の外へ突出させ、
全ての前記ボタンの押下状態が解除された際には、前記接触端子のそれぞれを前記筐体内に収納するとともに、前記保護部材を移動させて全ての前記開口部を塞ぐことを特徴とする接触端子保護構造。
【請求項２８】
前記ボタンのいずれかが押下されると圧縮される少なくとも一つのトーションバネの一端が前記筐体にそれぞれ固定され、他の一端に前記保護部材が設置されたことにより、前記ボタンの出没に応じて前記保護部材を移動させて前記開口部を開閉することを特徴とする請求項２７記載の接触端子保護構造。
【請求項２９】
鋼線で形成されたそれぞれの前記接触端子の略先端に形成された屈曲部の頂点が、該接触端子に形成された巻線部の弾性力によって前記保護部材側に弾発付勢され、
前記接触端子が、前記筐体から突出する際には前記屈曲部のみが前記開口部を介して前記筐体から突出し、先端は前記筐体内に留まって該筐体との間に前記保護部材を介在するように配置されることにより、前記開口部の開閉に応じてそれぞれの前記接触端子を対応する前記開口部を介して前記筐体から出没させることを特徴とする請求項２７又は２８記載の接触端子保護構造。
【請求項３０】
前記保護部材には、それぞれの前記接触端子の前記屈曲部の頂点と相対する位置に、前記接触端子に付着した異物を除去する部材が配置されたことを特徴とする請求項２９記載の接触端子保護構造。
【発明の詳細な説明】
【０００１】
【発明の属する技術分野】
本発明は、電子機器が装着されるホルダ及び電子機器を装着するためにホルダが備える接触端子を保護する接触端子保護構造に関し、特に、電子機器が装着されていない状態では、接触端子が露出しないホルダ及び接触端子保護構造に関する。
【０００２】
【従来の技術】
近年、蓄電池を内蔵し、これに充電された電力を動力源として駆動する電子機器が増加している。このような電子機器では、充電用のホルダに装置本体を装着することで蓄電池の充電を行う方法が一般的である。さらに、これらの電子機器は、蓄電池に十分な電力が蓄えられている状態であっても、ホルダに装着した状態で使用することによって電子機器に安定した電力を供給し動作させることができる。
【０００３】
また、ドッキングステーションやクレードルのように、電子機器への電力供給以外を目的としたホルダも広く用いられている。
【０００４】
このようなホルダは、装着された電子機器と電気的に接続されることで、電子機器に電力を供給したり、電気信号を送受信したりすることが可能となる。よって、電子機器がホルダに装着された際には、ホルダ側の端子と電子機器側の端子とを接触させる必要がある。
【０００５】
従来のホルダについて図面を用いて説明する。
図１７に、従来の携帯通信機１及びこれを充電する為のホルダ２を示す。また、図１８は、従来のホルダ２の６面図（正面、後面、左面、右面、上面、下面）である。図１８に示すように、ホルダ２は、ネジ２３によって連結されたカバー２１とベース２２とを筐体としている。
【０００６】
図１９に、ホルダ２に携帯通信機１を搭載した状態でのＡ−Ａ断面を示す。携帯通信機１は、上部中央付近に凹部Ａ１１が設けられており、ホルダ２の凹部Ａ１１と対向する箇所にはフック２５が配置されている。なお、フック２５の上面及び下面はテーパ状となっている。
フック２５の後側には、スプリング２６が配置されており、フック２５を凹部Ａ１１側に付勢して、これを凹部Ａ１１に対して垂直に圧接させる。
【０００７】
また、携帯通信機１の下部には、凹部Ｂ１２が２箇所に設けられており、ホルダ２の凹部Ｂ１２と対向する箇所には、引っ掛け部２４が形成されている。
【０００８】
図２０は、ホルダ２のカバー２１を取り除いた状態での正面図である。ベース２２の幅方向の中央付近には、基板２７が配置されている。基板２７の上部には、電力供給を受けるためのコネクタ２７１が形成されている。また、基板２７の両脇にはターミナル２７２が配置されており、これは基板２７を介してコネクタ２７１と電気的に接続されている。
ターミナル２７２は、線状の部材であるが、中央部に巻線部が形成されることでバネ性が付与されている。また、ターミナル２７２の先端部は「く」の字状に折り曲げられており、カバー２１の切り欠き穴２１１から突出するように配置されている。
【０００９】
図２１に、携帯通信機１が搭載されていない状態でのホルダ２のＢ−Ｂ断面を示す。ターミナル２７２の外側には、スプリング３０が配置されており、この上にボタン２８が挿入されている。カバー２１には、ボタン２８と対応する位置に穴が形成されており、この穴を介してボタン２８がカバー２１から突出している。
【００１０】
図２２に、携帯通信機１が搭載されていない状態でのホルダ２のＣ−Ｃ断面を示す。ターミナル２７２は、カバー２１に形成された切り欠き穴２１１から突出している。
【００１１】
携帯通信機１をホルダ２に装着する際の手順について説明する。携帯通信機１をホルダ２に装着する場合には、引っ掛け部２４を携帯通信機１の凹部１２に嵌合させつつ支点として回転させる。携帯通信機１の底面がフック２５に突き当たると、フック２５の上面に形成されたテーパの作用により、フック２５はスプリング２６を圧縮する方向に摺動する。携帯通信機１の凹部Ａ１１にフック２５が差し掛かると、スプリング２６の弾性力によってフック２５と凹部Ａ１１とが係合し、携帯通信機１がホルダ２に固定される。
携帯通信機１とホルダ２とを接続すると、携帯通信機１の底面がボタン２８を押下する。
【００１２】
図２３に、ホルダ２に携帯通信機１を搭載した状態でのホルダ２のＣ−Ｃ断面を示す。携帯通信機１の底面がボタン２８を押下したことによって撓んだターミナル２７２は、携帯通信機１の給電端子１３と接触する。これにより、携帯通信機１には、コネクタ２７１、基板２７及びターミナル２７２を介して電力が供給される。
【００１３】
上記構成においては、ホルダ２に携帯通信機１が接続されていない状態であっても、ターミナル２７２がカバー２１から突出した状態となる。換言すると、上記構成においては、携帯通信機１が装着されているか否かに関わらず、ターミナル２７２はホルダ２の外部に常時露出する。
【００１４】
このため、ホルダ２に携帯通信機１が装着されていない時にターミナル２７２に異物が付着してしまい、携帯通信機１を装着した際に接触不良を起こしてしまうことがあり得る。
また、ターミナル２７２が常時露出しているため、ターミナル２７２に機械的な力が作用して変形してしまったり、電導性のある物体がターミナル２７２に接触して、基板２７に形成された回路をショートさせてしまう可能性があった。
【００１５】
電子機器とが装着されていない状態ではホルダの接触端子が露出しないようにした従来技術として、特許文献１に開示される「携帯電話機用卓上チャージャーの防塵構造」がある。
特許文献１に記載された発明の卓上チャージャーは、凹部の挿入された携帯電話機の蓄電池を充電するものであり、携帯電話機が接続されていない時に凹部の開口部を塞ぐ防塵弁を設けることにより接触端子が露出しないようにしている。
【００１６】
【特許文献１】
特開平９−２１９２２０号公報
【００１７】
【発明が解決しようとする課題】
しかし、上記特許文献１に記載された発明は、端部に配置された回転軸を枢軸として回動した防塵弁が凹部内に収納されるため、凹部に一定の深さが必要となる。換言すると、チャージャーに一定の厚さがないと、防塵弁を収納するだけの深さを備えた凹部を形成することができない。これは、防塵弁を折り畳んで収納するとしても当てはまることである。よって、凹部の開口面積が大きいチャージャー、例えば、携帯電話機を寝かせた状態で装着するチャージャーにこの構造を適用することは難しい。
【００１８】
本発明はかかる問題に鑑みてなされたものであり、電子機器が装着されていない状態では接触端子が露出しないホルダ及び接触端子保護構造を、電子機器を装着するための凹部の開口面積に関わらず適用可能な構成で提供することを目的とする。
【００１９】
【課題を解決するための手段】
上記目的を達成するため、本発明は、第１の態様として、装着された電子機器に電力を供給するホルダであって、電子機器が装着される際に該電子機器によって押下されるボタンと、電源に接続されボタンが押下された状態の時のみ、筐体から突出する電源端子とを有し、電源からの電力を電源端子を介して電子機器に供給することを特徴とするホルダを提供するものである。
【００２０】
また、上記目的を達成するため、本発明は、第２の態様として、装着された電子機器に電力を供給するホルダであって、電子機器が装着される際に該電子機器によって押下されるボタンと、電源に接続された電源端子と、筐体に形成された開口部と、ボタンが押下されていない状態では開口部を塞ぐ保護部材と、ボタンが押下された場合には、保護部材を移動させて開口部を開き、ボタンの押下状態が解除された際には、保護部材を移動させて開口部を塞ぐ開閉手段と、開口部が開いた際に、電源端子を開口部から筐体の外へ突出させ、開口部が塞がれる際に、電源端子を筐体内に収納する出没手段とを有し、電子機器が装着された際には、電源からの電力を電源端子を介して電子機器に供給することを特徴とするホルダを提供するものである。
【００２１】
上記本発明の第２の態様において、開閉手段は、ボタンが押下された際に圧縮されるトーションバネの一端が筐体に固定され、他の一端に保護部材が設置されてなることが好ましく、これに加えて、保護部材は、渦巻き状に成型されたトーションバネの端部であることがよりこの好ましい。
【００２２】
上記本発明の第２の態様のいずれの構成においても、出没手段は、鋼線で形成された電源端子に巻線部が設けられ、電源端子の略先端に形成された屈曲部の頂点が、巻線部の弾性力によって保護部材側に弾発付勢され、電源端子が、筐体から突出する際には屈曲部のみが開口部を介して筐体の外へ突出し、先端は筐体内に留まって該筐体との間に保護部材を介在するように配置されて構成されることが好ましく、これに加えて、保護部材には、電源端子の屈曲部の頂点と相対する位置に、電源端子に付着した異物を除去する部材が配置されることがより好ましい。
【００２３】
また、上記目的を達成するため、本発明は、第３の態様として、装着された電子機器に電力を供給するホルダであって、電子機器が装着される際に該電子機器によって押下される少なくとも一つのボタンと、電源に接続された少なくとも一つの電源端子と、それぞれの電源端子に対応して筐体に形成された開口部を備え、ボタンがいずれも押下されていない状態では全ての開口部を塞ぐ保護部材と、ボタンのいずれかが押下された場合には、保護部材を移動させて全ての開口部を開き、全てのボタンの押下状態が解除された際には、保護部材を移動させて全ての開口部を塞ぐ開閉手段と、開口部が開いた際に、電源端子のそれぞれを、対応する開口部から筐体の外へ突出させ、開口部が塞がれる際に、電源端子のそれぞれを筐体内に収納する出没手段とを有し、電子機器が装着された際には、電源からの電力を電源端子を介して電子機器に供給することを特徴とするホルダを提供するものである。
【００２４】
上記本発明の第３の態様において、開閉手段は、ボタンのいずれかが押下されると圧縮される少なくとも一つのトーションバネの一端が筐体にそれぞれ固定され、他の一端に保護部材が設置されてなることが好ましい。
【００２５】
上記本発明の第３の態様のいずれの構成においても、出没手段は、鋼線で形成されたそれぞれの電源端子に巻線部が設けられ、電源端子の略先端に形成された屈曲部の頂点が、巻線部の弾性力によって保護部材側に弾発付勢され、電源端子が、筐体から突出する際には屈曲部のみが開口部を介して筐体の外へ突出し、先端は筐体内に留まって該筐体との間に保護部材を介在するように配置されて構成されることが好ましく、これに加えて、保護部材には、それぞれの電源端子の屈曲部の頂点と相対する位置に、電源端子に付着した異物を除去する部材が配置されることがより好ましい。
【００２６】
また、上記目的を達成するため、本発明は、第４の態様として、電子機器が装着されるホルダであって、電子機器が装着される際に、該電子機器によって押下されるボタンと、ボタンが押下された状態の時のみ、筐体から突出する接触端子とを有し、装着された電子機器との間で、接触端子を介して電気信号を送受信することを特徴とするホルダを提供するものである。
【００２７】
また、上記目的を達成するため、本発明は、第５の態様として、電子機器が装着されるホルダであって、電子機器が装着される際に、該電子機器によって押下されるボタンと、筐体に形成された開口部と、ボタンが押下されていない状態では開口部を塞ぐ保護部材と、ボタンが押下された場合には、保護部材を移動させて開口部を開き、ボタンの押下状態が解除された際には、保護部材を移動させて開口部を塞ぐ開閉手段と、開口部が開いた際に、接触端子を開口部から筐体の外へ突出させ、開口部が塞がれる際に接触端子を筐体内に収納する出没手段とを有し、装着された電子機器との間で、接触端子を介して電気信号を送受信することを特徴とするホルダを提供するものである。
【００２８】
上記本発明の第５の態様において、開閉手段は、ボタンが押下される際に圧縮されるトーションバネの一端が筐体に固定され、他の一端が保護部材に固定されてなることが好ましく、これに加えて、保護部材は、渦巻き状に成型されたトーションバネの端部であることがより好ましい。
【００２９】
上記本発明の第５の態様のいずれの構成においても、出没手段は、鋼線で形成された接触端子に巻線部が設けられ、接触端子の略先端に形成された屈曲部の頂点が、巻線部の弾性力によって保護部材側に弾発付勢され、接触端子が、筐体から突出する際には屈曲部のみが開口部を介して筐体の外へ突出し、先端は筐体内に留まって該筐体との間に保護部材を介在するように配置されて構成されることが好ましく、これに加えて、保護部材には、接触端子の屈曲部の頂点と相対する位置に、電源端子に付着した異物を除去する部材が配置されることがより好ましい。
【００３０】
また、上記目的を達成するため、本発明は、第６の態様として、電子機器が装着されるホルダであって、電子機器が装着される際に該電子機器によって押下される少なくとも一つのボタンと、少なくとも一つの接触端子と、それぞれの接触端子に対応して筐体に形成された開口部を備え、ボタンがいずれも押下されていない状態では全ての開口部を塞ぐ保護部材と、ボタンのいずれかが押下された場合には、保護部材を移動させて全ての開口部を開き、全てのボタンの押下状態が解除された際には、保護部材を移動させて全ての開口部を塞ぐ開閉手段と、開口部が開いた際に、接触端子のそれぞれを開口部から筐体の外へ突出させ、開口部が塞がれる際に、接触端子のそれぞれを筐体内に収納する出没手段とを有し、装着された電子機器との間で、接触端子を介して電気信号を送受信することを特徴とするホルダを提供するものである。
【００３１】
上記本発明の第６の態様において、開閉手段は、ボタンのいずれかが押下されると圧縮される少なくとも一つのトーションバネの一端が筐体にそれぞれ固定され、他の一端に保護部材が設置されてなることが好ましい。
【００３２】
上記本発明の第６の態様のいずれの構成においても、出没手段は、鋼線で形成されたそれぞれの接触端子に巻線部が設けられ、それぞれの接触端子の略先端に形成された屈曲部の頂点が、巻線部の弾性力によって保護部材側に弾発付勢され、接触端子が、筐体から突出する際には屈曲部のみが開口部を介して筐体の外へ突出し、先端は筐体内に留まって該筐体との間に保護部材が介在するように配置されて構成されることが好ましく、これに加えて、保護部材には、それぞれの接触端子の屈曲部の頂点と相対する位置に、接触端子に付着した異物を除去する部材が配置されることが好ましい。
【００３３】
また、上記目的を達成するため、本発明は、第７の態様として、電子機器が装着されるホルダにおいて、電子機器を電気的に接続するための接触端子を保護する接触端子保護構造であって、電子機器が装着される際に、該電子機器によって押下されるボタンを有し、ボタンが押下された状態の時のみ、接触端子を筐体から突出させることを特徴とする接触端子保護構造を提供するものである。
【００３４】
また、上記目的を達成するため、本発明は、第８の態様として、電子機器が装着されるホルダにおいて、電子機器を電気的に接続するため接触端子を保護する接触端子保護構造であって、電子機器が装着される際に、該電子機器によって押下されるボタンと、筐体に形成された開口部と、ボタンが押下されていない状態では開口部を塞ぐ保護部材とを有し、ボタンが押下された場合には、保護部材を移動させて開口部を開くとともに、接触端子を開口部から筐体の外へ突出させ、ボタンの押下状態が解除された際には、接触端子を筐体内に収納するとともに、保護部材を移動させて開口部を塞ぐことを特徴とする接触端子保護構造を提供するものである。
【００３５】
上記本発明の第８の態様において、ボタンが押下された際に圧縮されるトーションバネの一端が筐体に固定され、他の一端が保護部材に固定されたことにより、ボタンの出没に応じて保護部材を移動させて開口部を開閉することが好ましく、これに加えて、保護部材は、渦巻き状に成型されたトーションバネの端部であることがより好ましい。
【００３６】
上記本発明の第８の態様のいずれの構成においても、鋼線で形成された接触端子の略先端に形成された屈曲部の頂点が、該接触端子に形成された巻線部の弾性力によって保護部材側に弾発付勢され、接触端子が、筐体から突出する際には前記屈曲部のみが前記開口部を介して前記筐体から突出し、先端は筐体内に留まって該筐体との間に保護部材を介在するように配置されることにより、開口部の開閉に応じて接触端子を開口部を介して筐体から出没させることが好ましく、これに加えて、保護部材には、電源端子の屈曲部の頂点と相対する位置に、電源端子に付着した異物を除去する部材が配置されることがより好ましい。
【００３７】
また、上記目的を達成するため、本発明は、第９の態様として、電子機器が装着されるホルダにおいて、電子機器を電気的に接続するための接触端子を保護する接触端子保護構造であって、電子機器が装着される際に該電子機器によって押下される少なくとも一つのボタンと、少なくとも一つの接触端子と、それぞれの接触端子に対応して筐体に形成された開口部を備え、ボタンがいずれも押下されていない状態では全ての開口部を塞ぐ保護部材とを有し、ボタンのいずれかが押下された場合には、保護部材を移動させて全ての開口部を開くとともに、接触端子のそれぞれを対応する開口部から筐体の外へ突出させ、全てのボタンの押下状態が解除された際には、接触端子のそれぞれを筐体内に収納するとともに、保護部材を移動させて全ての開口部を塞ぐことを特徴とする接触端子保護構造を提供するものである。
【００３８】
上記本発明の第９の態様において、ボタンのいずれかが押下されると圧縮される少なくとも一つのトーションバネの一端が筐体にそれぞれ固定され、他の一端に保護部材が設置されたことにより、ボタンの出没に応じて保護部材を移動させて開口部を開閉することが好ましい。
【００３９】
上記本発明の第９の態様のいずれの構成においても、鋼線で形成されたそれぞれの接触端子の略先端に形成された屈曲部の頂点が、該接触端子に形成された巻線部の弾性力によって保護部材側に弾発付勢され、接触端子が、筐体から突出する際には前記屈曲部のみが前記開口部を介して前記筐体から突出し、先端は筐体内に留まって該筐体との間に保護部材を介在するように配置されることにより、開口部の開閉に応じてそれぞれの接触端子を対応する開口部を介して筐体から出没させることが好ましく、これに加えて、保護部材には、それぞれの接触端子の屈曲部の頂点と相対する位置に、接触端子に付着した異物を除去する部材が配置されることがより好ましい。
【００４０】
【発明の実施の形態】
〔第１の実施形態〕
本発明を好適に実施した第１の実施形態について説明する。図１に、本実施形態にかかるホルダに携帯通信機を装着した状態を示す。図に示すように、ホルダ２には携帯通信機１が背面側から装着される。
図２は、ホルダ２の６面図（正面、背面、左面、右面、上面、下面の６面）である。ここでは、携帯通信機１と当接する側を正面、後述のコネクタ２７１が配置された面を上面とし、正面から見て左側を左面とし、これらの反対側をそれぞれ背面、下面、右面と定義する。ホルダ２は、ネジ２３によって連結されたカバー２１とベース２２とを筐体としている。
【００４１】
図３に、携帯通信機１を装着していない状態での、ホルダ２のＡ−Ａ断面を示す。携帯通信機１の上部中央付近には凹部Ａ１１が形成されており、ホルダ２の凹部Ａ１１と対向する箇所にはフック２５が配置されている。なお、フック２５の正面側及び背面側はテーパ状となっている。
フック２５の後側にはスプリング２６が配置されており、フック２５を凹部Ａ１１側に付勢して、これを凹部Ａ１１に対して垂直に圧接させる。
【００４２】
また、携帯通信機１の下部には、凹部Ｂ１２が２箇所に設けられており、ホルダ２の凹部Ｂ１２と対向する箇所には、引っ掛け部２４が形成されている。
【００４３】
図４は、カバー２１を取り除いた状態でのホルダ２の正面図である。また、図５に、携帯通信機１が搭載されていない状態でのホルダ２のＢ−Ｂ断面を示す。さらに、図６に、携帯通信機１を装着していない状態でのホルダ２のＣ−Ｃ断面を示す。
ベース２２の左右方向の中央付近には、基板２７が配置されている。基板２７は、不図示の外部電源から供給された電力を携帯通信機１を作動させるのに適した電圧・電流に変換するための回路が形成されている。基板２７の上部には、外部から電力供給を受けるためのコネクタ２７１が配置されている。また、基板２７の両脇にはターミナル２７２（２７２ａ、２７２ｂ）が配置されており、これは基板２７を介してコネクタ２７１と電気的に接続されている。
なお、以下の説明においては、ホルダ２内に二つ存在する部材（ターミナル２７２ａ及び２７２ｂなど）については、これらを区別する必要がある場合のみ符号にａ又はｂの添え字を付すものとし、添え字を付していない場合には、両方の部材を指し示すものとする。これは、他の符号（トーションバネ２９、保護プレート２９１など）についても同様である。
【００４４】
ターミナル２７２は、線状の部材であるが、中央部に巻線部（ループ）が形成されることでバネ性が付与されている。また、ターミナル２７２の先端部付近には「く」の字状に折り曲げられた部分が形成されており、折り曲げられた部分の頂点がカバー２１の切り欠き穴２１１から突出できるように配置されている。
【００４５】
ターミナル２７２の外側には、圧縮力や延伸力が作用すると、鋼線が巻かれた方向に伸び縮みするトーションバネ２９（２９ａ、２９ｂ）が配置されており、この上にボタン２８（２８ａ、２８ｂ）が挿入されている。
【００４６】
トーションバネ２９のバネ部の一方の端は、ベース２２に形成された回転防止リブ２２１に固定されている。トーションバネ２９のもう一方の端には、保護プレート２９１（２９１ａ、２９１ｂ）が取り付けられている。このため、トーションバネ２９が伸縮する際には、回転防止リブ２２１によって固定された側の端は移動せず、保護プレート２９１が取り付けられた側の端のみが移動する。
【００４７】
保護プレート２９１は、トーションバネ２９に力が作用していない状態ではターミナル２７２の「く」の字部分の上に位置するように配置される。なお、トーションバネ２９ａに圧縮力が作用すると保護プレート２９１ａは、コイルの部分を軸として正面から見て時計回りに移動する。また、トーションバネ２９ｂに圧縮力が作用すると保護プレート２９１ｂは、コイルの部分を軸として正面からみて反時計回りに移動する。
また、ターミナル２７２の先端は、トーションバネの伸縮に伴う保護プレートの回転軌跡をたどるように、折り曲げられている。
【００４８】
カバー２１には、ボタン２８と対応する位置に穴が形成されており、この穴を介してボタン２８がカバー２１から突出している。
【００４９】
トーションバネ２９の一端に取り付けられた保護プレート２９１は、カバー２１に形成された切り欠き穴２１１よりも大きい。このため、ターミナル２７２のバネ力によって保護プレート２９１はカバー２１に圧接している。
なお、ターミナル２７２が回転しても当たらないように、基板２７には切り欠き穴２７３が形成されている。
【００５０】
図７に、携帯通信機１及びホルダ２の電気的な構成を示す。ホルダ２には、コネクタ２７１を介して外部電源から電力が供給される。ホルダ２には、コネクタ２７１に入力された電力を、所定の電圧・電流に変換し基板２７を介してターミナル２７２ａ、２７２ｂまで送る送電経路が形成されている。一方、携帯通信機１は、給電端子１３ａ、１３ｂを備えている。
上記の電気的構成においては、ターミナル２７２ａと給電端子１３ａとが当接し、ターミナル２７２ｂと給電端子１３ｂとが当接すると、外部電源から回路基板１９に至る送電経路が形成され、回路基板１９に電力が供給される。回路基板１９に電力が供給された状態であり、かつ蓄電池１８に十分な電力が蓄積されていない場合は、蓄電池１８が充電される。
【００５１】
次に、携帯通信機１をホルダ２へ装着する際の動作について説明する。
図８に、携帯通信機１が装着された状態におけるホルダ２を、カバー２１を取り除いた状態で示す。また、図９に、携帯通信機１を装着した状態でのホルダ２のＢ−Ｂ断面を示す。さらに、図１０に、携帯通信機１を装着した状態でのホルダ２のＣ−Ｃ断面を示す。
携帯通信機１をホルダ２に装着する際には、引っ掛け部２４と携帯通信機１の凹部Ｂ１２とを嵌合させつつ、凹部Ｂ１２を枢軸として携帯通信機１を回転させる。
携帯通信機１の底面がフック２５に突き当たると、フック２５の上面に形成されたテーパの作用により、フック２５はスプリング２６を圧縮する方向に摺動する。携帯通信機１の凹部Ａ１１にフック２５が差し掛かると、スプリング２６の弾性力によってフック２５と凹部Ａ１１とが係合し、携帯通信機１がホルダ２に固定される。
【００５２】
携帯通信機１は、ホルダ２に装着される際に底面でボタン２８を押下する。ボタン２８はトーションバネ２９に挿入されているため、これに作用した押下力はトーションバネ２９に弾性力として蓄えられる。よって、携帯通信機１をホルダ２に装着する際に、携帯通信機１とホルダ２とが衝突してしまうことがないため、携帯通信機１に傷が付くことはない。
【００５３】
また、トーションバネ２９が撓むと一端に取り付けられた保護プレート２９１は切り欠き穴２１１が形成された箇所とは別の位置に移動する。保護プレート２９１が切り欠き穴２１１が形成された箇所から移動すると、ターミナル２７２自身の弾性力によって、その「く」の字の部分がカバー２１側に移動して切り欠き穴２１１から突出する。なお、この際ターミナル２７２の「く」の字の頂点の部分はカバー２１の外側に突出するが、先端はカバー２１の内側に留まり、カバー２１とターミナル２７２の先端との間に保護プレート２９１が介在する状態となる。
【００５４】
切り欠き穴２１１から突出したターミナル２７２が携帯通信機１の背面に配置された給電端子１３と接触することにより、コネクタ２７１から携帯通信機１に至る送電経路が形成される。これにより、コネクタ２７１、基板２７、ターミナル２７２を介して外部電源から携帯通信機１に電力が供給される。
【００５５】
次に、ホルダ２に装着した携帯通信機１を取り外す際の動作について説明する。ホルダ２に取り付けられている携帯通信機１を取り外す際には、ホルダ２を押さえつけながら携帯通信機１とホルダ２とを引き離す。フック２５の下面はテーパ状となっているため、携帯通信機１をホルダ２から引き離そうとするとフック２５はスプリング２６を圧縮する方向に摺動し、フック２５と凹部Ａ１１との係合が解除される。
【００５６】
携帯通信機１がホルダ２から離れると、トーションバネ２９の弾性力によってボタン２８がカバー２１から突出する。これに伴って、トーションバネ２９のねじれも無くなるため、保護プレート２９１は切り欠き穴２１１が形成されている箇所に復帰する。
【００５７】
この際、ターミナル２７２の先端とカバー２１との間に保護プレート２９１が介在しているため、保護プレート２９１は、ターミナル２７２を押し下げながら切り欠き穴２１１が形成されている位置に復帰する。これにより、保護プレート２９１は切り欠き穴２１１を塞ぐとともに、ターミナル２７２をホルダ２内に収納する。
【００５８】
このように、本実施形態において、ホルダ２は、携帯通信機１を取り付けるだけで、内部に収納されていたターミナル２７２が外部に露出し、装着された携帯通信機１を取り外すだけで、ターミナル２７２がホルダ２の内部に収納される構成である。
このため、携帯通信機１が装着されていない状態、換言するとターミナル２７２を使用する必要がない状態で、ターミナル２７２に異物が付着したり、外力が加わったりすることがない。よって、ターミナル２７２に異物が付着することによる接触不良や、外力によるターミナル２７２の変形を防止できる。
【００５９】
また、携帯通信機１を装着する際に、ターミナル２７２のみがホルダ２から突出する。よって、装着される電子機器がどのような向きで取り付けられるかに関わらず適用可能な構造である。換言すると、携帯通信機１を装着するための開口部の大きさに関わらず適用可能な構造である。
【００６０】
このように本実施形態によれば、電子機器が装着されていない状態では接触端子が露出せず、電子機器を装着するための凹部の開口面積に関わらず適用可能な構造のホルダ及び接触端子保護構造を提供できる。
【００６１】
〔第２の実施形態〕
本発明を好適に実施した第２の実施形態について説明する。図１に示した第１の実施形態と同様に、本実施形態にかかるホルダ２の正面には、携帯通信機１が背面側から搭載される。
図１１に、本実施形態にかかるホルダ２を、カバー２１を取り除いた状態で示す。ホルダ２は、第１の実施形態のものとほぼ同様の構成である。ただし、本実施形態においては、トーションバネ２９の一端に保護プレート２９１が取り付けられておらず、その代わりにトーションバネ２９の先端部を渦巻き状に巻いた保護回転部２９２（２９２ａ、２９２ｂ）が形成されている。このため、トーションバネ２９が伸縮する際には、回転防止リブ２２１によって固定された側の端は移動せず、回転保護部２９が形成された側の端のみが移動する。
【００６２】
回転保護部２９２は、トーションバネ２９に力が作用していない状態ではターミナル２７２の「く」の字部分の上に位置するように配置される。なお、トーションバネ２９ａに圧縮力が作用すると回転保護部２９２ａは、正面から見て時計回りに移動する。また、トーションバネ２９ｂに圧縮力が作用すると、回転保護部２９２ｂは正面からみて反時計回りに移動する。
また、ターミナル２７２の先端は、トーションバネ２９の伸縮に伴う回転保護部２９の回転軌跡をたどるように、外側に曲げられている。
【００６３】
なお、ホルダ２の電気的構成は、図７に示した第１の実施形態と同様である。
【００６４】
次に、携帯通信機１とホルダ２とを接続する際の動作について説明する。なお、ホルダ２に携帯通信機１を装着した時の状態は、図８〜図１０において保護プレート２９１を回転保護部２９２に置き換えたものと同様である。
携帯通信機１をホルダ２に装着する際には、引っ掛け部２４と携帯通信機１の凹部Ｂ１２とを嵌合させつつ、凹部Ｂ１２を枢軸として携帯通信機１を回転させる。
携帯通信機１の底面がフック２５に突き当たると、フック２５の上面に形成されたテーパの作用により、フック２５はスプリング２６を圧縮する方向に摺動する。携帯通信機１の凹部Ａ１１にフック２５が差し掛かると、スプリング２６の弾性力によってフック２５と凹部Ａ１１とが係合し、携帯通信機１がホルダ２に固定される。
【００６５】
携帯通信機１は、ホルダ２に装着される際に底面でボタン２８を押下する。ボタン２８はトーションバネ２９に挿入されているため、これに作用した押下力はトーションバネ２９に弾性力として蓄えられる。よって、携帯通信機１をホルダ２に装着する際に、携帯通信機１とホルダ２とが衝突してしまうことがないため、携帯通信機１に傷が付くことはない。
【００６６】
また、トーションバネ２９が撓むと一端に形成された回転保護部２９２は切り欠き穴２１１が形成された箇所とは別の位置に移動する。回転保護部２９２が切り欠き穴２１１が形成された箇所から移動すると、ターミナル２７２自身の弾性力によって、その「く」の字の部分がカバー２１側に移動して切り欠き穴２１１から突出する。なお、この際ターミナル２７２の「く」の字の頂点の部分はカバー２１の外側に突出するが、先端はカバー２１の内側に留まり、カバー２１とターミナル２７２の先端との間に回転保護部２９２が介在する状態となる。
【００６７】
切り欠き穴２１１から突出したターミナル２７２が携帯通信機１の背面に配置された給電端子１３と接触することにより、コネクタ２７１から携帯通信機１に至る送電経路が形成される。これにより、コネクタ２７１、基板２７、ターミナル２７２を介して外部電源から携帯通信機１に電力が供給される。
【００６８】
次に、ホルダ２に装着した携帯通信機１を取り外す際の動作について説明する。ホルダ２に取り付けられている携帯通信機１を取り外す際には、ホルダ２を押さえつけながら携帯通信機１とホルダ２とを引き離す。フック２５の下面はテーパ状となっているため、携帯通信機１をホルダ２から引き離そうとするとフック２５はスプリング２６を圧縮する方向に摺動し、フック２５と凹部Ａ１１との係合が解除される。
【００６９】
携帯通信機１がホルダ２から離れると、トーションバネ２９の弾性力によってボタン２８がカバー２１から突出する。これに伴って、トーションバネ２９のねじれも無くなるため、回転保護部２９２は切り欠き穴２１１が形成されている箇所に復帰する。
【００７０】
この際、ターミナル２７２の先端とカバー２１との間に回転保護部２９２が介在しているため、回転保護部２９２は、ターミナル２７２を押し下げながら切り欠き穴２１１が形成されている位置に復帰する。これにより、回転保護部２９２は切り欠き穴２１１を塞ぐとともに、ターミナル２７２をホルダ２内に収納する。
【００７１】
このように、本実施形態において、ホルダ２は、携帯通信機１を取り付けるだけで、内部に収納されていたターミナル２７２が外部に露出し、装着された携帯通信機１を取り外すだけで、ターミナル２７２がホルダ２の内部に収納される構成である。
このため、携帯通信機１が装着されていない状態、換言するとターミナル２７２を使用する必要がない状態ではターミナル２７２に異物が付着したり、外力が加わったりすることがない。よって、ターミナル２７２に異物が付着することによる接触不良や、外力によるターミナル２７２の変形を防止できる。
【００７２】
なお、ターミナル２７２に異物が付着することを防止するためには、ターミナル２７２の先端を隙間無く巻いて回転保護部２９２を形成する必要があるが、ターミナル２７２を外力から保護するだけで良いならば、巻いた鋼線の間に隙間があってもよい。
【００７３】
また、携帯通信機１を装着する際に、ターミナル２７２のみがホルダ２から突出する。よって、装着対象の電子機器がどのような向きで取り付けられるかに関わらず適用可能な構造である。換言すると、携帯通信機１を装着するための凹部の開口面積に関わらず適用可能な構成である。
【００７４】
このように本実施形態によれば、電子機器が装着されていない状態では接触端子が露出せず、電子機器を装着するための凹部の開口面積に関わらず適用可能な構造のホルダ及び接触端子保護構造を提供できる。
【００７５】
〔第３の実施形態〕
本発明を好適に実施した第３の実施形態について説明する。図１に示した第１の実施形態と同様に、本実施形態にかかるホルダ２の正面には、携帯通信機１が背面側から装着される。ホルダ２の外観は、図２に示した第１の実施形態のものと同様である。
【００７６】
ただし、図１２に示す携帯通信機１を装着していない状態でのホルダ２のＢ−Ｂ断面に表されるように、本実施形態においては保護プレート２９１の裏面（ターミナル２７２と接触する面）には、端子ふき２９３が設けられている。端子ふき２９３は、ターミナル２７２を形成する鋼線よりも十分に柔らかいシート状の部材である。
【００７７】
なお、ホルダ２の電気的構成は、図７に示した第１の実施形態と同様である。
【００７８】
ホルダ２に携帯通信機１を装着する際の動作及びホルダ２から携帯通信機１を取り外す際の動作は、第１の実施形態と同様となる。ただし、本実施形態においては、トーションバネ２９の作用によって保護プレート２９１が移動する際に、端子ふき２９３とターミナル２７２とが接触した状態で摺動する。このため、ターミナル２７２に付着していた異物は、端子ふき２９３によって除去され、給電端子１３との接触箇所は清浄な状態に保たれる。よって、仮にターミナル２７２に異物が付着したとしても、携帯通信機１をホルダ２に装着した際にターミナル２７２に付着した異物は除去されるため、給電端子１３との接触は不良とならない。
なお、端子ふき２９３は、保護プレート２９１が移動する際にターミナル２７２との摩擦抵抗が大きくならない材質であることが好ましい。
【００７９】
このように、本実施形態にかかるホルダ２は、第１の実施形態と同様の効果に加え、ターミナル２７２に付着した異物を携帯通信機１を着脱するだけで自動的に除去できるという効果を奏する。
【００８０】
〔第４の実施形態〕
本発明を好適に実施した第４の実施形態について説明する。図１に示した第１の実施形態と同様に、本実施形態にかかるホルダ２は、その正面に携帯通信機１が背面側から装着される。ホルダ２の外観は、図２に示した第１の実施形態のものと同様である。
【００８１】
図１３に、ホルダ２をカバー２１を取り除いた状態で示す。第１の実施形態においては、トーションバネ２９ａ、２９ｂの一端には、保護プレート２９１ａ、２９１ｂがそれぞれ取り付けられていたが、本実施形態においては、トーションバネ２９ａ及び２９ｂには、スライドプレート２９４が取り付けられる。スライドプレート２９４には、切り欠き穴２９４１（２９４１ａ、２９４１ｂ）が形成されており、トーション部２９ａ、２９ｂの先端部が曲げ起こされてここに挿入されることで、スライドプレート２９４はトーションバネ２９に固定されている。
【００８２】
スライドプレート２９４は、トーションバネ２９に力が作用していない状態ではターミナル２７２の「く」の字部分の上に位置するように配置される。なお、トーションバネ２９ａに圧縮力が作用するとスライドプレート２９４は上方向（コネクタ２７１が配置された側）に移動する。
【００８３】
なお、ホルダ２の電気的構成は、図７に示した第１の実施形態と同様である。
【００８４】
次に、ホルダ２に携帯通信機１を装着する際の動作について説明する。図１４に、携帯通信機１が装着されていない状態でのホルダ２のＣ−Ｃ断面を示す。また、図１５に、携帯通信機１が装着された状態でのホルダ２を、カバー２１を取り除いた状態で示す。さらに、図１６に、携帯通信機１が装着された状態におけるホルダ２のＣ−Ｃ断面を示す。
【００８５】
携帯通信機１をホルダ２に装着する際には、引っ掛け部２４と携帯通信機１の凹部Ｂ１２とを嵌合させつつ、凹部Ｂ１２を枢軸として携帯通信機１を回転させる。
携帯通信機１の底面がフック２５に突き当たると、フック２５の上面に形成されたテーパの作用により、フック２５はスプリング２６を圧縮する方向に摺動する。携帯通信機１の凹部Ａ１１にフック２５が差し掛かると、スプリング２６の弾性力によってフック２５と凹部Ａ１１とが係合し、携帯通信機１がホルダ２に固定される。
【００８６】
携帯通信機１は、ホルダ２に装着される際に底面でボタン２８を押下する。ボタン２８はトーションバネ２９に挿入されているため、これに作用した押下力はトーションバネ２９に弾性力として蓄えられる。よって、携帯通信機１をホルダ２に装着する際に、携帯通信機１とホルダ２とが衝突してしまうことがないため、携帯通信機１に傷が付くことはない。
【００８７】
また、トーションバネ２９が撓むと一端に取り付けられたスライドプレート２９４は切り欠き穴２１１が形成された箇所とは別の位置に移動する。スライドプレート２９４が切り欠き穴２１１が形成された箇所から移動すると、ターミナル２７２は自身の弾性力によって、その「く」の字の部分がカバー２１側に移動して切り欠き穴２１１から突出する。なお、この際ターミナル２７２の「く」の字の頂点の部分はカバー２１の外側に突出するが、先端はカバー２１の内側に留まり、カバー２１とターミナル２７２の先端との間にスライドプレート２９４が介在する状態となる。
【００８８】
切り欠き穴２１１から突出したターミナル２７２が携帯通信機１の背面に配置された給電端子１３と接触することにより、コネクタ２７１から携帯通信機１に至る送電経路が形成される。これにより、コネクタ２７１、基板２７、ターミナル２７２を介して外部電源から携帯通信機１に電力が供給される。
【００８９】
次に、ホルダ２に装着した携帯通信機１を取り外す際の動作について説明する。ホルダ２に取り付けられている携帯通信機１を取り外す際には、ホルダ２を押さえつけながら携帯通信機１とホルダ２とを引き離す。フック２５の下面はテーパ状となっているため、携帯通信機１をホルダ２から引き離そうとするとフック２５はスプリング２６を圧縮する方向に摺動し、フック２５と凹部Ａ１１との係合が解除される。
【００９０】
携帯通信機１がホルダ２から離れると、トーションバネ２９の弾性力によってボタン２８がカバー２１から突出する。これに伴って、トーションバネ２９のねじれも無くなるため、スライドプレート２９４は切り欠き穴２１１が形成されている箇所に復帰する。
【００９１】
この際、ターミナル２７２の先端とカバー２１との間にスライドプレート２９４が介在しているため、スライドプレート２９４は、ターミナル２７２を押し下げながら切り欠き穴２１１が形成されている位置に復帰する。これにより、スライドプレート２９４は切り欠き穴２１１を塞ぐとともに、ターミナル２７２をホルダ２内に収納する。
【００９２】
本実施形態においては、基板２７の両脇に配置したトーションバネ２９ａ及び２９ｂの先端をいずれもスライドプレート２９４に固定している。このため、トーションバネ２９ａ、２９ｂの弾性力にばらつきがあったとしても、それを吸収することが可能となる。換言すると、携帯通信機１をホルダ２に装着した際に、ターミナル２７２ａ、２７２ｂのいずれか一方のみがホルダ２から突出して、ターミナル２７２と給電端子１３との接触が不完全となることを防止できる。
なお、ここではボタン２８を二つ（２８ａ、２８ｂ）設けているが、ホルダ２の左右方向の中央部にボタンを一つだけ配置し、これが押下された際にトーションバネ２９ａ及び２９ｂの両方が圧縮されるような構成とすることも可能である。
【００９３】
このように、本実施形態において、ホルダ２は、携帯通信機１を取り付けるだけで、内部に収納されていたターミナル２７２が外部に露出し、装着された携帯通信機１を取り外すだけで、ターミナル２７２がホルダ２の内部に収納される構成である。
このため、携帯通信機１が装着されていない状態、換言するとターミナル２７２を使用する必要がない状態で、ターミナル２７２に異物が付着したり、外力が加わったりすることがない。よって、ターミナル２７２に異物が付着することによる接触不良や、外力によるターミナル２７２の変形を防止できる。
【００９４】
また、携帯通信機１を装着する際に、ターミナル２７２のみがホルダ２から突出する。よって、ホルダ２は装着対象の電子機器がどのような向きで取り付けられるかに関わらず適用可能な構造である。換言すると、電子機器を装着するための凹部の開口面積に関わらず適用可能な構造である。
【００９５】
このように本実施形態によれば、電子機器が装着されていない状態では接触端子が露出せず、電子機器を装着するための凹部の開口面積に関わらず適用可能な構造のホルダを提供できる。
【００９６】
なお、上記各実施形態は、本発明の好適な実施の一例であり、本発明はこれに限定されるものではない。
【００９７】
例えば、上記各実施形態においては、装着された携帯通信機に電力を供給するためのホルダを例に説明を行ったが、本発明は、電子機器が装着されるあらゆるホルダに適用することが可能である。すなわち、電子機器はどのような種類のものであっても良いし、ホルダは電子機器に電力を供給するものに限定されることはない。
【００９８】
また、上記各実施形態では、ターミナルに「く」の字状に折り曲げた部分を形成しているが、これは半円状や放物線状などに折り曲げられていても良い。
【００９９】
また、ボタンを筐体から突出させない構造とし、電子機器をホルダに装着した際に、電子機器の所定の位置に形成された凸部がボタンを押下するようにしてもよい。このようにすれば、電子機器を装着していない状態でターミナルを露出させることができなくなるため、ターミナルに異物が付着したり、外力が作用して変形することをより確実に防止できる。
【０１００】
さらに、ホルダを構成する各部材は、図面において示した形状に限定されることはなく、その数量や形状は適宜変更してもよい。
このように、本発明は様々な変形が可能である。
【０１０１】
【発明の効果】
以上の説明によって明らかなように、本発明によれば、電子機器が装着されていない状態では接触端子が露出しないホルダを、電子機器を装着するための凹部の開口面積に関わらず適用可能な構成で提供できる。
【図面の簡単な説明】
【図１】本発明を好適に実施した第１の実施形態にかかるホルダに携帯通信機を装着した状態を示す図である。
【図２】第１の実施形態にかかるホルダの外観を示す図である。
【図３】第１の実施形態にかかるホルダの断面（携帯通信機非装着時）を示す図である。
【図４】第１の実施形態にかかるホルダ（携帯通信機非装着時）をカバーを取り除いた状態で示す図である。
【図５】第１の実施形態にかかるホルダの断面（携帯通信機非装着時）を示す図である。
【図６】第１の実施形態にかかるホルダの断面（携帯通信機非装着時）を示す図である。
【図７】第１の実施形態にかかるホルダの電気的構成を示す図である。
【図８】第１の実施形態にかかるホルダ（携帯通信機装着時）を示す図である。
【図９】第１の実施形態にかかるホルダの断面（携帯通信機装着時）を示す図である。
【図１０】第１の実施形態にかかるホルダの断面（携帯通信機装着時）を示す図である。
【図１１】本発明を好適に実施した第２の実施形態にかかるホルダ（携帯通信機非装着時）を、カバーを取り除いた状態で示す図である。
【図１２】本発明を好適に実施した第３の実施形態にかかるホルダ（携帯通信機非装着時）の断面を示す図である。
【図１３】本発明を好適に実施した第４の実施形態にかかるホルダ（携帯通信機非装着時）を示す図である。
【図１４】第４の実施形態にかかるホルダの断面（携帯通信機非装着時）を示す図である。
【図１５】第４の実施形態にかかるホルダ（携帯通信機装着時）を示す図である。
【図１６】第４の実施形態にかかるホルダの断面（携帯通信機装着時）を示す図である。
【図１７】従来のホルダに携帯通信機を装着した状態を示す図である。
【図１８】従来のホルダの外観を示す図である。
【図１９】従来のホルダの断面（携帯通信機装着時）を示す図である。
【図２０】従来のホルダ（携帯通信機非装着時）を示す図である。
【図２１】従来のホルダの断面（携帯通信機非装着時）を示す図である。
【図２２】従来のホルダの断面（携帯通信機装着時）を示す図である。
【図２３】従来のホルダの断面（携帯通信機装着時）を示す図である。
【符号の説明】
１  携帯通信機
２  ホルダ
１８  蓄電池
１９  回路基板
２１  カバー
２２  ベース
２３  ネジ
２４  引っ掛け部
２５  フック
２６、３０  スプリング
２７  基板
２８  ボタン
２９  トーションバネ
２１１、２７３、２９４１  切り欠き穴
２７１  コネクタ
２７２  ターミナル
２９１  保護プレート
２９２  回転保護部
２９３  端子ふき
２９４  スライドプレート
【図１】
2004165831.tif 000003
【図２】
2004165831.tif 000004
【図３】
2004165831.tif 000005
【図４】
2004165831.tif 000006
【図５】
2004165831.tif 000007
【図６】
2004165831.tif 000008
【図７】
2004165831.tif 000009
【図８】
2004165831.tif 000010
【図９】
2004165831.tif 000011
【図１０】
2004165831.tif 000012
【図１１】
2004165831.tif 000013
【図１２】
2004165831.tif 000014
【図１３】
2004165831.tif 000015
【図１４】
2004165831.tif 000016
【図１５】
2004165831.tif 000017
【図１６】
2004165831.tif 000018
【図１７】
2004165831.tif 000019
【図１８】
2004165831.tif 000020
【図１９】
2004165831.tif 000021
【図２０】
2004165831.tif 000022
【図２１】
2004165831.tif 000023
【図２２】
2004165831.tif 000024
【図２３】
2004165831.tif 000025